(57)【要約】【課題】雨水が当たっても錆びたり、変色したりしない縦型介護用ポール装置とする。【解決手段】下側固定面（床面）Ｆと上側固定面（天井面）Ｃとの間に設けられる縦型介護用ポール装置Ａである。下側固定面に固定される下側固定具２０と、上側固定面Ｃに固定される上側固定用台座３１と、下側固定具２０と上側固定用台座３１との間に設けられるポール１と、そのポールを下側固定具と上側固定用台座３１との間で突っ張らせて床面と天井面の間に固定する突張力付与機構とからなる。それらの上側固定用台座、下側固定具及びポールは防錆処理がされたり、耐腐食材料で構成されたりしている。例えば、固定具（台座）はステンレス鋼としたり、ポールは、鋼管にナイロンコーティングしたり、ステンレス鋼管としたりする。ポールと固定具（台座）の接続部にはゴムパッキン２９、３２を介在する。【選択図】図１
0003224648.tif 000002
【実用新案登録請求の範囲】
【請求項１】
下側固定面（Ｆ）と上側固定面（Ｃ）との間に設けられる縦型介護用ポール装置（Ａ）であって、
上記下側固定面（Ｆ）に固定される下側固定具（２０）と、上側固定面（Ｃ）に固定される上側固定用台座（３１）と、前記下側固定具（２０）と上側固定用台座（３１）との間に設けられるポール（１）と、そのポール（１）を前記下側固定具（２０）と上側固定用台座（３１）との間で突っ張らせて床面と天井面の間に固定する突張付与機構とからなり、
それらの下側固定具（２０）、上側固定用台座（３１）及びポール（１）は防錆処理がされたり、耐腐食材料で構成されたりしている縦型介護用ポール装置。
【請求項２】
上記下側固定具（２０）の台座（２１）は天然ゴムからなり、上側固定用台座（３１）はステンレス鋼からなり、上記ポール（１）は鋼管にナイロンコーティングしたり、ステンレス鋼管としたりしており、前記ポール（１）と前記固定具および上側固定用台座（２０，３１）の接続部にはゴムパッキン（２９、３２）を介在した請求項１に記載の縦型介護用ポール装置。
【考案の詳細な説明】
【技術分野】
【０００１】
この考案は、一般家庭や介護施設等において、身障者、高齢者等の要介護者が歩行時等に捕まって安定した姿勢を確保するために用いる縦型介護用ポール装置であって、ベランダ等の雨が降り注ぐ屋外で使用されるものに関する。
【背景技術】
【０００２】
従来、足の弱った人が椅子、ベッドや便器等から立ち上がるのを補助する介護装置として、天井面と床面の間に立設する縦型ポールが知られている。
その一例として、床面に固定される床面固定具と、天井面に固定される天井面固定具と、前記床面と天井面との間に設けられるポールと、そのポールを前記床面固定具と天井面固定具との間で突っ張らせて床面と天井面の間に固定する突張付与機構と、からなる縦型介護用ポール装置がある（特許文献１請求項１、明細書段落００１４〜００４２、図４、図５、図１４〜図１６等参照）。
【先行技術文献】
【特許文献】
【０００３】
【特許文献１】実用新案登録第３２１５２２７号公報
【考案の概要】
【考案が解決しようとする課題】
【０００４】
上記従来の縦型介護用ポール装置は、屋内で使用されるものであるため、各部品には耐水性が考慮されていなかった。
しかし、今日、身障者、高齢者等の要介護者であっても、できるだけ、自立した生活をおくる意味から、洗濯物をベランダや庭で干すことを要求している。
このとき、ベランダや庭は、雨水が降り注ぐが、上記のように、従来の縦型介護用ポール装置は、その各部品には耐水性（防錆性）が考慮されていなかった。このため、各部品が錆びたり、変色したりして、耐久性や商品性においてすこぶる劣るものであった。
【０００５】
この考案は、以上の実状の下、耐水性を有する屋外で使用し得る縦型介護用ポール装置を提供することを課題とする。
【課題を解決するための手段】
【０００６】
上記課題を達成するために、この考案は、縦型介護用ポール装置の各部品を防錆処理がされたり、耐腐食材料で構成されたりしているものとしたのである。
このような部品で縦型介護用ポール装置が構成されておれば、ベランダ等の雨水が降り注ぐ屋外に設置しても、各部品が錆びたり、変色したりすることは極めて少なくなる。
【０００７】
この考案の具体的な構成は、下側固定面と上側固定面との間に設けられる縦型介護用ポール装置であって、前記下側固定面に固定される下側固定具と、上側固定面に固定される上側固定用台座と、前記下側固定具と上側固定用台座との間に設けられるポールと、そのポールを下側固定具と上側固定用台座との間で突っ張らせて下側固定面と上側固定面の間に固定する突張力付与機構とからなり、それらの上側固定用台座、下側固定具及びポールは防錆処理（耐水処理）がされたり、耐腐食材料で構成されたりしている構成を採用することができる。
【０００８】
その耐水処理の一手段としては、例えば、上記下側固定具の台座は天然ゴム、上側固定用台座はステンレス鋼からなり、上記ポールは鋼管にナイロンコーティングしたり、ステンレス鋼管としたりし、ポールと両固定具（台座）との接続部にはゴムパッキン（封水材、封止材）を介在した構成とし得る。
ステンレス鋼は錆びにくく、天然ゴムは耐候性があって、滑りにくい。
【考案の効果】
【０００９】
この考案は、以上のように構成したので、耐水性のある縦型介護用ポール装置となり、雨水のかかるベランダ等に設置しても、各部品が錆びたり、変色したりすることは極めて少なくなる。このため、耐久性や商品性が劣化することもない。
【図面の簡単な説明】
【００１０】
【図１】この考案に係る縦型介護用ポール装置の一実施形態の概略正面図
【図２】同実施形態の突張力付与機構（下側固定具）を示す一部切断正面図
【図３】図２の下面側台座を示し、（ａ）は平面図、（ｂ）は切断正面図
【図４】同実施形態の防水カバー（パッキン）の斜視図
【考案を実施するための形態】
【００１１】
この考案に係る縦型介護用ポール装置の一実施形態を図１〜図５に示し、この縦型介護用ポール装置Ａも、従来と同様に、床面等の下側固定面Ｆと天井面等の上側固定面Ｃの間に垂直（上下）に介設する。例えば、マンション、アパート、団地、公団住宅などの集合住宅においては、下階のベランダ床面が下側固定面Ｆ、同天井面（上階のべランだ床下面）が上側固定面Ｃとなる。このとき、下側固定面（床面）Ｆと上側固定面（天井面）Ｃは、鉄筋コンクリート造り等の縦型介護用ポール装置Ａの突張付与機構による突っ張りによって破損したり、突っ張り力が緩んだりしない程度の強度（剛性）を有するものである。
【００１２】
ポール１は、上下の部材１ａ、１ｂに分かれて、上側のポール部材１ａはステンレス鋼管からなり、下側のポール部材１ｂは鋼管にナイロンコーティングして、両ポール部材１ａ、１ｂともに防錆処理（耐水処理又は防錆材料）が施されている。その一方（上側）のポール部材１ａに対して他方（下側）のポール部材１ｂが大径となっており、他方のポール部材１ｂに一方のポール部材１ａが隙間無く（ピッタリ）嵌って出没自在となっている。両ポール部材１ａ、１ｂの長さは、両ポール部材の嵌り合い長さを考慮して設置する床面Ｆと天井面Ｃの間隔に応じて適宜に設定する。この両ポール部材１ａ、１ｂは接続締結金具（連結金具）１０によって適宜な伸縮長さ（出没長さ）で固定される（特許文献１、段落００１５参照）。
【００１３】
その接続締結金具１０は、円筒状半割リング１１、１１の対からなり、その各リング１１の両側にはそれぞれフランジ１２が設けられている。対向するフランジ１２には同一軸上の孔が形成されて、その一方がタッピングねじ孔となっている（特許文献１、図３参照）。半割リング１１は軸方向中程で肉薄となって段差が形成されている。
このため、この対の円筒状となった半割リング１１に他方（下側）のポール部材１ｂを嵌めると、その段差にポール部材１ｂの上端が係止して、その上端に接続締結金具１０が取付けられる。接続締結金具１０は、対向するフランジ１２の一方の孔にボルトを差し込んで同他方の孔にねじ込むことによって両リング１１が締まって（縮径して）接続締結機能を発揮する（特許文献１段落００１６〜同００１７、同図３参照）。
【００１４】
その上下方向のポール１の下端に床面Ｆに固定する下面台座２１、上端に天井面Ｃに固定する天井用台座３１がそれぞれ設けられ、その下面台座２１に床固定具２０が設けられている。その床固定具２０が上記突張力付与機構を構成する。その下面台座２１は、図３に示すように、天然ゴムからなる正八角形をしており、四つのボルト孔２１ｂと二つのビス孔２１ｃが形成されている。このボルト孔２１ｂとビス孔２１ｃの数は任意であり、その位置は周囲等間隔が好ましい。天然ゴムは耐候性があって、劣化し難く、変色もし難い。
下面台座２１は、図３（ｂ）に示す、両端の厚みｔ１、ｔ２を変化させることによって床面Ｆの傾斜角度に対応する。その傾斜面は一方から他方に向かって底面が徐々に傾斜するようにする。その傾斜角度は、例えば、ｔ１：２０ｍｍに対し、ｔ２：２０、１８、１７ｍｍ等とする。
【００１５】
突張力付与機構を成す固定具２０は、図２に示すように、台座２１にステンレス鋼製底板２１ａが上記ボルト孔２１ｂを介してステンレス鋼製ボルト２１ｄにより固定されている。このボルト２１ｄはボルト孔２１ｂの下方から挿入されて底板２１ａの上面でナット止めされている。
底板２１ａの中心には全長に亘ってねじが形成されたステンレス鋼製ボルト２２が溶接によって立設（植設）されており、そのボルト２２に、下部ロックナット２３、ジャッキナット２４、回転防止コマ２５、上昇防止用ダブルナット２３ａ及び固定ナット２３ｂがねじ込まれている。これらのロックナット２３、ジャッキナット２４、回転防止コマ２５、ダブルナット２３ａ、固定ナット２３ｂはステンレス鋼製である。
【００１６】
下部ロックナット２３は底板２１ａにねじ込み圧接されてボルト２２を底板２１ａに強固に一体化し、ダブルナット２３ａは回転防止コマ２５（ジャッキコマ２４）が必要以上に上昇するのを阻止して、天井面Ｃが損傷されるのを防止する。
回転防止コマ２５は、ＭＣナイロン（６ナイロンと呼ばれるポリアミド樹脂）等の樹脂製であって、ボルト２２に上下動自在に嵌め込まれている。回転防止コマ２５の上面は円状凹部に形成されてこの凹部にポール部材１ｂの下端が嵌っている。回転防止コマ２５の外周等分位置（この実施形態では左右）に上下方向のガイド溝２５ａが形成されており、この溝２５ａにステンレス鋼製四角棒材からなるガイド２５ｂが嵌っている。このガイド２５ｂは床固定具２０の底板２１ａに溶接によって植設され、その板２１ａに溶接されたステンレス鋼製補強片２５ｃによって補強されている。補強片２５ｃとガイド２５ｂも溶接して一体とする。
【００１７】
この構成によって、ジャッキナット２４がボルト２２に対して回転することによって昇降し、それに伴って回転防止コマ２５が昇降する。このため、回転防止コマ２５の上面に他方のポール部材１ｂの下端が当接して（嵌って）いることによって、ポール部材１ｂ（ポール１）も昇降する。
【００１８】
回転防止コマ２５には埋め込みビスが周囲等間隔に設けられており、このビスをねじ穴にねじ込んで、そのビスの尖った先端をポール部材１ｂに圧接することによってポール部材１ｂと回転防止コマ２５が一体になる。この一体によって、回転防止コマ２５はガイド２５ｂを介して台座２１に固定のため、ポール部材１ｂ（ポール１）の回転が阻止される（特許文献１、段落００２１、図４〜図６参照）。
【００１９】
ボルト２２の頂部にはＡＢＳ樹脂（アクリロニトリル・ブタジエン・スチレン共重合合成樹脂）製振れ止め用安定コマ２７がねじ込まれ、固定ナット２３ｂのねじ込みによってこの安定コマ２７はボルト２２に一体となっている。安定コマ２７は他方のポール部材１ｂ内に移動可能にぴったり嵌り込む（ポール部材１ｂ内径と安定コマ２７の外径はほぼ同一となっている。）。
【００２０】
このボルト２２、ジャッキナット２４等によって突張力付与機構が構成され、この突張力付与機構（床固定具）２０に円錐台筒状のＡＳＡ樹脂（アクリロニトリル・スチレン・アクリルゴム）製状カバー２８が被せられる。このカバー２８はステンレス鋼製ビス２１ｅをビス孔２１ｃを通して台座２１にねじ込むことによって台座２１に固定されるが、このビス２１ｅを外すことによって他方のポール部材１ｂに嵌った状態でその軸方向に移動自在である。カバー２８もステンレス鋼製とし得る。
カバー２８の上部にはポール部材１ｂに水密に嵌められた天然ゴム製雨水侵入防止カバー（パッキン）２９が密に設けられている。このパッキン２９によってカバー２８内への雨水の侵入が阻止される。また、カバー２８と底板２１ａの間に防水パッキンを介在することができる。
【００２１】
天井面（上面）台座３１は、図１に示すように、上向きコ字状のステンレス鋼板からなり、この台座３１の底板から上側ポール部材１ａの上端に嵌めて固定した固定コマにビス止めすることによって上側ポール部材１ａの上端に固定されている。その固定コマ及びビスは樹脂製又はステンレス鋼製とする。
この台座３１と上側ポール部材１ａの固定（接続）部分のポール部材１ａには図４で示す保護カバー（防水カバー）３２が水密に嵌られている。このカバー３２も天然ゴムからなって、半割状でポール部材１ａに嵌めてその両フランジ３２ａをボルトナット３２ｂで締結することによってポール１（部材１ａ、１ｂ）への雨水の侵入を防止する。
【００２２】
この実施形態の縦型介護用ポール装置Ａは以上の構成であり、その作用についてつぎに説明する。
今、マンション等のベランダの物干し竿や洗濯機、盆栽等の草木の近くにおいて、その床面（ベランダ床面）Ｆと天井面（上階のベランダ床下面）Ｃの間にこの介護用ポール装置Ａを設置する場合、図１に示すように、上下の台座２１、３１の間隔（ポール１の自然長）が床面Ｆと天井面Ｃの間隔の前後（少し短い長さ）として、この縦型介護用ポール装置Ａを床面Ｆと天井面Ｃの間に位置させる。
【００２３】
その状態で、カバー２８を上方にずらし、ジャッキナット２４を回して回転防止コマ２５を上昇させ、他方（下側）のポール部材１ｂ（ポール１）を上方に持ち上げる。このポール１の上昇につれて、床面（上面）台座２１と天井面（上面）台座３１が突っ張り状態で床面（下面）Ｆと天井面（上面）Ｃとの間に強固に押し付けられてポール１が不動となる。
この後、ビスをねじ込んで回転防止コマ２５をポール部材１ｂに固定してポール１の回転を防止する。
【００２４】
上記実施形態において、固定具２０は上記の態様に限らず、突張力付与機能を有する構成であれば、任意であり、例えば、特許文献１段落００４１、同００４２、図１４〜図１６に示す公知の機構等を採用できる。また、天井面には、弾性支持機構を構成したものとし得る。例えば、特許文献１段落００２４〜００２９、図７〜図８Ｃに記載のものを採用する。これらにおいて、各部品には、防錆処理を施したり、耐腐食材料で構成したりすることは勿論である。
また、各部品において、ステンレス鋼に代えて、耐候性を有するプラスチック（樹脂）を採用することもできる。
このように、今回開示された実施の形態はすべての点で例示であって制限的なものではないと考えられるべきである。この考案の範囲は、実用新案登録請求の範囲によって示され、実用新案登録請求の範囲と均等の意味および範囲内でのすべての変更が含まれることが意図される。
【符号の説明】
【００２５】
Ａ  縦型介護用ポール装置
１  ポール
１ａ  一方（上側）のポール部材
１ｂ  他方（下側）のポール部材
１０  ポール部材の接続締結金具
１１  半割リング
１２  フランジ
２０  床固定具（突張力付与機構）
２１  下面（床面）台座
２１ａ  同台座の底板
２２  ポール長さ調整用ボルト
２３、２３ａ、２３ｂ  ナット
２４  ジャッキナット（ジャッキコマ）
２５  回転防止コマ
２５ａ  ガイド溝
２５ｂ  ガイド
２５ｃ  補強片
２８  カバー
２９  防水カバー（パッキン）
３１  上面（天井面）台座
３２  防水カバー（パッキン）
【図１】
0003224648.tif 000003
【図２】
0003224648.tif 000004
【図３】
0003224648.tif 000005
【図４】
0003224648.tif 000006